(57)【要約】【課題】メダルを投入し易い遊技機を提供する。【解決手段】投入口カバー３０は、板面を略垂直にした起立姿勢のメダル１３を略水平方向へとスライドさせてメダル投入口２２へ案内するための案内路３２と、案内路３２の側方に設けられ、遊技者が案内路３２を介してメダル投入口２２へメダル１３を投入する投入動作を行うための動作スペースを形成するための動作スペース形成部３４と、案内路３２の長手方向に長く形成されて案内路３２の底面に配置され、メダル１３の下側２箇所を上端部分により支持しながらメダル投入口２２へと案内するための案内レール３６ａ、３６ｂと、案内路３２のうちメダル投入口２２とは反対側の端部に設けられ、案内路３２のメダル１３がメダル投入口２２から遠ざかる方向へと倒れることを阻止するための阻止部３８と、を備えている。【選択図】図２
2018175361.tif 000002
【特許請求の範囲】
【請求項１】
スリット状の開口からなり、板面を略垂直にした起立姿勢のメダルが投入されるメダル投入口と、
メダルを前記起立姿勢のまま略水平方向へとスライドさせて前記メダル投入口へと案内するための案内路と、
前記案内路の側方に設けられた凹部または平坦部からなり、遊技者が前記案内路を介して前記メダル投入口へメダルを投入する投入動作を行うための動作スペースを形成するための動作スペース形成部と、
前記案内路により案内されるメダルの案内方向に長く形成されて前記案内路の底面に配置される２本で一対の凸条からなり、メダルの下側２箇所を前記凸条の上端部分により支持しながら前記メダル投入口へと案内するための案内レールと、
前記案内路のうち前記メダル投入口とは反対側の端部に設けられた凸部からなり、前記案内路のメダルが前記メダル投入口から遠ざかる方向へと倒れることを阻止するための阻止部と、
を備えたことを特徴とする遊技機。
【請求項２】
スリット状の開口からなり、板面を略垂直にした起立姿勢のメダルが投入されるメダル投入口と、
メダルを前記起立姿勢のまま略水平方向へとスライドさせて前記メダル投入口へと案内するための案内路と、
前記案内路の側方に設けられた凹部または平坦部からなり、遊技者が前記案内路を介して前記メダル投入口へメダルを投入する投入動作を行うための動作スペースを形成するための動作スペース形成部と、
を備えたことを特徴とする遊技機。
【請求項３】
スリット状の開口からなり、板面を略垂直にした起立姿勢のメダルが投入されるメダル投入口と、
メダルを前記起立姿勢のまま略水平方向へとスライドさせて前記メダル投入口へと案内するための案内路と、
前記案内路により案内されるメダルの案内方向に長く形成されて前記案内路の底面に配置される２本で一対の凸条からなり、メダルの下側２箇所を前記凸条の上端部分により支持しながら前記メダル投入口へと案内するための案内レールと、
を備えたことを特徴とする遊技機。
【請求項４】
スリット状の開口からなり、板面を略垂直にした起立姿勢のメダルが投入されるメダル投入口と、
メダルを前記起立姿勢のまま略水平方向へとスライドさせて前記メダル投入口へと案内するための案内路と、
前記案内路のうち前記メダル投入口とは反対側の端部に設けられた凸部からなり、前記案内路のメダルが前記メダル投入口から遠ざかる方向へと倒れることを阻止するための阻止部と、
を備えたことを特徴とする遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置される遊技機としてスロットマシンが広く知られている。スロットマシンでは、メダル投入口にメダルを投入して遊技が行われるため、メダルを投入し易いように各種の工夫が施されている。例えば、下記特許文献１には、板面を垂直にした垂直姿勢で水平方向にスライドさせることによりメダルをメダル投入口へと案内する案内路を設け、複数枚のメダルを連続投入し易いようにした例が記載されている。また、下記特許文献１には、案内路の底面に沿って多数の凸条を設け、メダルをスライドさせ易くした例が記載されている。
【先行技術文献】
【特許文献】
【０００３】
【特許文献１】特開２０１３−０２２０３４
【発明の概要】
【発明が解決しようとする課題】
【０００４】
しかしながら、従来の遊技機では、メダルの投入し易さについて未だ十分とは言い難く、更なる工夫が要求されていた。
【０００５】
本発明は、上記背景を鑑みてなされたものであり、よりメダルを投入し易い遊技機を提供することを目的としている。
【課題を解決するための手段】
【０００６】
上記目的を達成するために、本発明の遊技機は、スリット状の開口からなり、板面を略垂直にした起立姿勢のメダルが投入されるメダル投入口と、メダルを前記起立姿勢のまま略水平方向へとスライドさせて前記メダル投入口へと案内するための案内路と、前記案内路の側方に設けられた凹部または平坦部からなり、遊技者が前記案内路を介して前記メダル投入口へメダルを投入する投入動作を行うための動作スペースを形成するための動作スペース形成部と、前記案内路により案内されるメダルの案内方向に長く形成されて前記案内路の底面に配置される２本で一対の凸条からなり、メダルの下側２箇所を前記凸条の上端部分により支持しながら前記メダル投入口へと案内するための案内レールと、前記案内路のうち前記メダル投入口とは反対側の端部に設けられた凸部からなり、前記案内路のメダルが前記メダル投入口から遠ざかる方向へと倒れることを阻止するための阻止部と、を備えたことを特徴としている。
【０００７】
また、上記目的を達成するために、本発明の遊技機は、スリット状の開口からなり、板面を略垂直にした起立姿勢のメダルが投入されるメダル投入口と、メダルを前記起立姿勢のまま略水平方向へとスライドさせて前記メダル投入口へと案内するための案内路と、前記案内路の側方に設けられた凹部または平坦部からなり、遊技者が前記案内路を介して前記メダル投入口へメダルを投入する投入動作を行うための動作スペースを形成するための動作スペース形成部と、を備えたことを特徴としている。
【０００８】
また、上記目的を達成するために、本発明の遊技機は、スリット状の開口からなり、板面を略垂直にした起立姿勢のメダルが投入されるメダル投入口と、メダルを前記起立姿勢のまま略水平方向へとスライドさせて前記メダル投入口へと案内するための案内路と、前記案内路により案内されるメダルの案内方向に長く形成されて前記案内路の底面に配置される２本で一対の凸条からなり、メダルの下側２箇所を前記凸条の上端部分により支持しながら前記メダル投入口へと案内するための案内レールと、を備えたことを特徴としている。
【０００９】
また、上記目的を達成するために、本発明の遊技機は、スリット状の開口からなり、板面を略垂直にした起立姿勢のメダルが投入されるメダル投入口と、メダルを前記起立姿勢のまま略水平方向へとスライドさせて前記メダル投入口へと案内するための案内路と、前記案内路のうち前記メダル投入口とは反対側の端部に設けられた凸部からなり、前記案内路のメダルが前記メダル投入口から遠ざかる方向へと倒れることを阻止するための阻止部と、を備えたことを特徴としている。
【発明の効果】
【００１０】
本発明は、案内路の側方に設けられた凹部または平坦部からなり、遊技者が前記案内路を介して前記メダル投入口へメダルを投入する投入動作を行うための動作スペースを形成するための動作スペース形成部を設けたので、従来の遊技機と比較してよりメダルを投入し易い。
【００１１】
また、本発明は、案内路により案内されるメダルの案内方向に長く形成されて案内路の底面に配置される２本で一対の凸条からなり、メダルの下側２箇所を凸条の上端部分により支持しながらメダル投入口へと案内するための案内レールを設けたので、従来の遊技機と比較してよりメダル投入口にメダルを投入し易い。
【００１２】
さらに、本発明は、案内路のうちメダル投入口とは反対側の端部に設けられた凸部からなり、案内路のメダルがメダル投入口から遠ざかる方向へと倒れることを阻止するための阻止部を設けたので、従来の遊技機と比較してよりメダル投入口にメダルを投入し易い。
また、阻止部は、メダル案内路に載置する際にメダルの載置位置を決めるための目印としても機能するので、従来の遊技機と比較してメダル投入口にメダルを投入し易い。
【図面の簡単な説明】
【００１３】
【図１】スロットマシンの外観図である。
【図２】投入口カバーの斜視図である。
【図３】投入口カバーの上面図である。
【図４】案内通路の幅方向の切断面を示す断面図である。
【図５】案内通路の長手方向の切断面を示す断面図である。
【発明を実施するための形態】
【００１４】
図１に示すように、スロットマシン（遊技機）１０は、収納箱１１と、前面扉１２とを備え、これらから遊技機本体が構成されている。収納箱１１には、複数のリールがユニット化されたリールユニットや、メダル１３（図２〜図５参照）の払い出しを行うホッパ装置などが収納されている。前面扉１２は、収納箱１１に軸着され、開閉自在に支持されている。
【００１５】
前面扉１２の上部には、各種画像を表示する液晶ディスプレイ及びリールを視認させるための透明窓１６が設けられている。リールの外周面には複数種類の図柄が配列されており、リールが停止した状態では、透明窓１６を通して１つのリールにつき３個の図柄が表示される。
【００１６】
透明窓１６の下方には、メダル１３を投入するメダル投入口２２、クレジットされたメダル１３をベットする際に操作されるベットボタン２３、遊技を開始する際に操作されるスタートレバー２４、回転しているリールを停止させるためのストップボタン２６ａ〜２６ｃ、ホッパ装置から払い出されたメダル１３を受けるメダル受け皿２８、クレジットされたメダル１３を清算するための清算ボタン２９が設けられている。
【００１７】
スロットマシン１０では、メダル投入口２２にメダル１３を投入、または、ベットボタン２３操作することによりメダル１３がベットされるとスタートレバー２４が有効化され、有効化されたスタートレバー２４を操作すると遊技が開始される。遊技が開始されると、当選役抽選が実行されて複数種類の当選役のいずれかまたはハズレが決定されるとともにリールが回転を開始する。リールの回転速度が一定速度に到達して定常回転となるとストップボタン２６ａ〜２６ｃの操作が有効化され、有効化されたストップボタン２６ａ〜２６ｃを操作すると操作されたストップボタンに対応するリールを停止させることができる。そして、全てのリールが停止したときに、当選役抽選で決定された当選役に対応する図柄組合せが表示されると、この当選役が入賞となり、入賞した当選役に対応する処理（入賞処理）が実行される。
【００１８】
図２〜図５に示すように、メダル投入口２２は、投入口カバー３０に形成されたスリット状の開口からなり、メダル１３は、板面を垂直にした垂直姿勢でメダル投入口２２に投入される。投入口カバー３０には、前述したメダル投入口２２の他、案内路３２、及び、動作スペース形成部３４が設けられ、さらに案内路３２には、案内レール３６ａ、３６ｂ、阻止部３８が設けられている。スロットマシン１０では、これら案内路３２、動作スペース形成部３４、案内レール３６ａ、３６ｂ、阻止部３８によりメダル投入口２２にスムーズにメダル１３を投入できるようにしている。
【００１９】
＜案内路＞
案内路３２は、メダル投入口２２にメダル１３を案内するために設けられている。案内路３２は、底面が下方ヘ湾曲した断面略∪字型の溝からなり、手前側（遊技者側）から奥側のメダル投入口２２の上方へ向けて略水平方向に長く形成されており、メダル１３は、垂直姿勢のまま案内路３２に沿って手前側から奥側へと案内されてメダル投入口２２に投入される。
【００２０】
このようなメダル１３の投入は遊技者によって行われる（メダル投入口２２にメダル１３を投入するメダル１３の投入動作は、遊技者によって行われる）。本実施形態においてメダル投入口２２は、スロットマシン１０の本体に向かって右側に設けられており、メダル１３の投入（投入動作）は、遊技者の右手で行われる。また、このとき、複数枚のメダル１３が一斉に（連続して）メダル投入口２２に投入される。具体的には、遊技者は右手で複数枚のメダル１３を掴み、これら複数枚のメダル１３を、垂直姿勢で板面を対面させるように整列させた状態で案内路３２に載置し、一番手前側のメダル１３の板面に右手の親指をあてた状態で右手を前方へスライド（または親指を前方へ押し出すように右手首を回転）させることによって、メダル１３を手前側から奥側へ向けて押圧する。これにより、奥側のメダル１３から順に複数枚のメダル１３が連続してメダル投入口２２へ投入される。
【００２１】
＜動作スペース形成部＞
図２、図３において、動作スペース形成部３４は、上述したメダル１３の投入動作を行うための空間（動作スペース）を形成するために設けられている。動作スペース形成部３４は、メダル投入口２２の右側（スロットマシン１０に向かって右側）に設けられた凹部からなる。このような凹部（動作スペース形成部３４）を設けることにより、この凹部（動作スペース形成部３４）の上方にいずれの部材も配置されないスペースが形成される。そして、このように形成されたスペースが、上述したメダル１３の投入動作を行うための動作スペースとして機能する。
【００２２】
このように、スロットマシン１０では、メダル１３の投入動作を行うための動作スペースが確保（形成）されているため、メダル投入口２２の近傍に配置された部材によりメダル１３の投入動作が妨げられるといったことがなく、スムーズなメダル１３の投入が可能となる（メダル１３の投入が容易となる）。
【００２３】
＜案内レール＞
案内レール３６ａ、３６ｂは、案内路３２の長手方向（案内路３２を案内されるメダル１３の案内方向）に長く形成された一対の凸条からなり、案内路３２の底面に配置されている。
図４において、案内レール３６ａ、３６ｂは、案内路３２のメダル１３（案内路３２に載置されてメダル投入口２２へ向けてスライド移動されるメダル１３）が、案内レール３６ａ、３６ｂのみ（案内レール３６ａ、３６ｂの頂点（上端）部分のみ）と接するように、形状（サイズや高さなど）や配置間隔が決定されており、案内路３２のメダル１３は、案内レール３６ａ、３６ｂと当接する下側の２箇所が支持された状態でメダル投入口２２へ向けてスライド移動される。
【００２４】
このように、２本の案内レール３６ａ、３６ｂによりメダル１３を支持することで、案内路３２のメダル１３のガタつきを防止できる。つまり、３本以上の案内レールによりメダル１３の３箇所以上を支持する場合、全ての案内レールがメダル１３に当接していないとメダル１３の支持が安定せずにメダル１３がガタついてしまう。しかし、全ての案内レールがメダル１３に当接するように案内路３２や案内レールを高精度に製造することは、コストが高くなってしまうだけでなく、仮に、案内路３２や案内レールを精度良く形成しても、温度や湿度、組付時の負荷、メダル１３のスライド移動に伴う摩耗などにより案内路３２や案内レールが変形すると、メダル１３がガタついてしまう。これに対し、スロットマシン１０では、メダル１３が自重により２本の案内レール３６ａ、３６ｂに当接した安定した位置で支持されるので、ガタつきが防止される。
また、２本の案内レール３６ａ、３６ｂによりメダル１３を支持することにより、３本以上の案内レールによりメダル１３の３箇所以上を支持する場合と比較して、メダル１３との当接部分の面積を小さくでき、メダル１３をスライド移動させる際の抵抗（摩擦抵抗など）を小さくできる。
そして、上述のように、メダル１３のガタつきや、メダル１３をスライド移動させる際の抵抗を小さくできることにより、スムーズなメダル１３の投入が可能となる（メダル１３の投入が容易となる）。
【００２５】
＜阻止部＞
図２、及び、図５において、阻止部３８は、案内路３２の長手方向の端部のうち、メダル投入口２２とは反対側の端部に設けられた凸部からなり、案内路３２のメダル１３が、メダル投入口２２から遠ざかる方向へと倒れることを阻止するために設けられている。
このように、阻止部３８を設けることで、例えば、案内路３２にメダル１３を載置した状態で一端メダル１３から手（親指）を離した場合であっても、このメダル１３のスムーズな投入が可能となる（メダル１３の投入が容易となる）。
すなわち、阻止部３８を設けたことにより、案内路３２にメダル１３を残したままこのメダル１３から手を離しても、メダル１３が倒れずに、阻止部３８に当接するまで傾いた状態で案内路３２に載置される（図５参照）。このため、案内路３２に残したメダル１３をメダル投入口２２に投入する際には、傾いたメダル１３を手前側から押圧するだけでよく、阻止部３８が存在しない場合のように、倒れたメダル１３を起き上がらせてから押圧する場合と比較して、スムーズなメダル１３の投入が可能となる（メダル１３の投入が容易となる）。
また、阻止部３８は、メダル１３を案内路３２に載置する際にメダル１３の載置位置を決めるための目印としても機能する。このため、メダル１３を案内路３２に載置する際にメダル１３の載置位置を間違うことなどを防止し、スムーズなメダル１３の投入が可能となる。
【００２６】
以上のように、スロットマシン１０では、投入口カバー３０に各種の工夫を施すことにより、スムーズなメダル１３の投入が可能となる（メダル１３の投入が容易となる）。
【００２７】
なお、本発明は上記実施形態に限定されること無く、案内路３２や動作スペース形成部３４、案内レール３６ａ、３６ｂ、阻止部３８の具体的な形状など、細部の構成については適宜変更できる。例えば、上記実施形態では、動作スペース形成部３４が凹部である例で説明をしたが、動作スペース形成部３４は、その上方に遊技者が投入動作を行うための動作スペースを形成できればよいので、平坦部であってもよいし、投入動作を妨げない程度に上方に湾曲した凸部であってもよい。
【００２８】
また、上記実施形態では、スロットマシンに本発明を適用する例で説明をしたが、本発明はこれに限定されない。本発明は、メダルを用いて遊技を行う遊技機に対して広く適用できるので、メダルを用いて遊技を行うスロットマシン以外の遊技機に対して本発明を適用してもよい。
【符号の説明】
【００２９】
１０  スロットマシン（遊技機）
１２  前面扉
１３  メダル
１６  透明窓
２２  メダル投入口
２４  スタートレバー
２６ａ〜２６ｃ  ストップボタン
３０  投入口カバー
３２  案内路
３４  動作スペース形成部
３６ａ、３６ｂ  案内レール
３８  阻止部
【図１】
2018175361.tif 000003
【図２】
2018175361.tif 000004
【図３】
2018175361.tif 000005
【図４】
2018175361.tif 000006
【図５】
2018175361.tif 000007